(57)【要約】【課題】被収納物の充填作業を効率よく行えるようにする。【解決手段】被収納物ＯＢＪを収納するための箱形に形成された紙製の収納箱１００であって、壁部１２で四方を囲むと共に上方を開口した箱本体１０と、箱本体１０の開口部に並べて配置される一以上の区画部２０とを備え、各区画部２０は、被収納物ＯＢＪを載置する載置面２１と、載置面２１の両側側面にそれぞれ設けられた折曲片２３とを備えており、折曲片２３は、載置面２１を開放する姿勢の開放位置と、載置面２１の開口面積を狭くする姿勢の折曲位置とに折曲自在であり、箱本体１０は、折曲片２３を折曲状態で保持する保持機構を備える。【選択図】図８
2018193098.tif 000002
【特許請求の範囲】
【請求項１】
被収納物を収納するための箱形に形成された紙製の収納箱であって、
壁部で四方を囲むと共に上方を開口した箱本体と、
前記箱本体の開口部に並べて配置される一以上の区画部と、
を備え、
各区画部は、
被収納物を載置する載置面と、
前記載置面の両側側面にそれぞれ設けられた折曲片と
を備えており、
前記折曲片は、
前記載置面を開放する姿勢の開放位置と、
前記載置面の開口面積を狭くする姿勢の折曲位置とに折曲自在であり、
前記箱本体は、前記折曲片を折曲状態で保持する保持機構を備えてなる収納箱。
【請求項２】
請求項１に記載の収納箱であって、
前記保持機構として、前記箱本体に前記区画部を配置した状態で、前記箱本体の壁部の内面の内、前記折曲片の端縁と面する部位に、前記折曲片に設けられた突起部を挿入する挿入穴を開口してなる収納箱。
【請求項３】
請求項２に記載の収納箱であって、
前記折曲片は、
開放位置において、前記突起部を、前記箱本体の壁部の内面よりも外側に張り出す姿勢とし、
折曲位置において、前記突起部を、前記箱本体の壁部の内面に開口された前記挿入穴に突出される姿勢としてなる収納箱。
【請求項４】
請求項２又は３に記載の収納箱であって、
前記折曲片は、その端縁を幅広に形成してなる収納箱。
【請求項５】
請求項１〜４のいずれか一項に記載の収納箱であって、
前記区画部はさらに、前記載置面において、前記折曲片の延長方向と交差する方向に折曲自在に形成された仕切り片を一以上備えてなる収納箱。
【請求項６】
請求項５に記載の収納箱であって、
前記仕切り片は、折曲位置にある前記折曲片と係合する係合機構を備えてなる収納箱。
【請求項７】
請求項５又は６に記載の収納箱であって、
前記仕切り片は、中央部分に凹部を形成してなる収納箱。
【請求項８】
請求項５〜７のいずれか一項に記載の収納箱であって、
前記仕切り片は、折曲した姿勢でその両端が、折曲位置にある折曲片と当接する形状に形成されてなる収納箱。
【請求項９】
請求項１〜８のいずれか一項に記載の収納箱であって、
前記区画部が両面印刷の紙で構成されてなる収納箱。
【請求項１０】
被収納物を収納した紙製の収納箱の組み立て方法であって、
壁部で四方を囲むと共に上方を開口した箱本体の開口部に、一以上の区画部を並べて配置する工程と、
前記区画部の被収納物を載置する載置面の両側側面にそれぞれ設けられた折曲片を、前記載置面を開放する開放位置に開いた状態で、前記載置面に被収納物を載置する工程と、
前記載置面に被収納物を載置した状態で、前記折曲片を、開放位置から、前記載置面の開口面積を狭くする折曲位置に折曲し、前記折曲片の端部に形成した突起部を、前記箱本体の壁部の内面に開口された挿入穴に挿入する工程と
を含む収納箱の組み立て方法。
【発明の詳細な説明】
【技術分野】
【０００１】
本発明は、被収納物を収納する収納箱及びその組み立て方法に関し、例えばスティックコーヒーのような贈答物を収納するのに適した紙製の収納箱及びその組み立て方法に関する。
【背景技術】
【０００２】
被収納物を収納可能な紙製の収納箱は、贈答品を収納する箱などに用いられる。特に贈答品として、例えば棒状の袋にコーヒー粉末を充填したスティックコーヒーのような被収納物を収納箱に詰め合わせて贈答品として販売する場合には、被収納物を見栄え良く見せるために、綺麗に並べて配置している。例えば図１０の斜視図に示す紙製の収納箱は、スティックコーヒーを多数並べて収納可能な収納箱９００の例を示している。この収納箱９００は、図１１の分解斜視図に示すように、箱本体９１０と、箱本体９１０に３つ並べて配置される区画部９２０を備えている。各区画部９２０は、載置面９２１の両側を折曲した壁部９２７を形成している。壁部９２７は、載置面９２１の両端を、断面視において上側に開放されたコ字状となるように折曲して形成される。各壁部９２７は、三角形状に折曲されると共に、載置面９２１側の壁面には、被収納物の一部を挿入するための開口穴９２８を形成している。
【０００３】
この収納箱９００に、被収納物ＯＢＪとしてスティックコーヒーを収納する手順を、図１２〜図１３に基づいて説明する。まず図１２に示すように、箱本体９１０に区画部９２０を並べた状態で、複数のスティックコーヒーの一端を、一方の区画部９２０の開口穴９２８に挿入する。次に図１３に示すように、スティックコーヒーの他端を、スティックコーヒーを折り曲げるようにして他方の区画部９２０の開口穴９２８にねじ込むようにして挿入する。この作業をすべてのスティックコーヒーに対して行うことで区画部９２０の一列にスティックコーヒーを充填できる。同様の作業の各列に繰り返すことで、収納箱９００にスティックコーヒーを詰めることができる。
【０００４】
しかしながら、この作業は手作業でスティックコーヒーの端縁を折曲げてねじ込むように挿入する作業が必要となり、手間がかかるという問題があった。このため、充填作業の作業効率が悪く、人件費やタクトタイムの点で改善が求められていた。
【先行技術文献】
【特許文献】
【０００５】
【特許文献１】特開２０１５−４８１２３号公報
【発明の概要】
【発明が解決しようとする課題】
【０００６】
本発明は、従来のこのような背景に鑑みてなされたものであり、その目的の一は、被収納物の充填作業を効率よく行えるようにした収納箱及びその組み立て方法を提供することを目的とする。
【課題を解決するための手段及び発明の効果】
【０００７】
本発明の第１の側面に係る収納箱によれば、被収納物を収納するための箱形に形成された紙製の収納箱であって、壁部で四方を囲むと共に上方を開口した箱本体と、前記箱本体の開口部に並べて配置される一以上の区画部とを備え、各区画部は、被収納物を載置する載置面と、前記載置面の両側側面にそれぞれ設けられた折曲片とを備えており、前記折曲片は、前記載置面を開放する姿勢の開放位置と、前記載置面の開口面積を狭くする姿勢の折曲位置とに折曲自在であり、前記箱本体は、前記折曲片を折曲状態で保持する保持機構を備えることができる。上記構成により、箱本体に区画部をセットした状態で、各区画部の折曲片を開放位置として、載置面に被収納物を載置し易くする一方、被収納物を収納した状態で、折曲片を折曲位置に保持することにより、被収納物が載置面から抜け落ちないように保持することが可能となる。
【０００８】
また、第２の側面に係る収納容器によれば、上記構成に加えて、前記保持機構として、前記箱本体に前記区画部を配置した状態で、前記箱本体の壁部の内面の内、前記折曲片の端縁と面する部位に、前記折曲片に設けられた突起部を挿入する挿入穴を開口することができる。
【０００９】
さらに、第３の側面に係る収納容器によれば、上記構成に加えて、前記折曲片は、開放位置において、前記突起部を、前記箱本体の壁部の内面よりも外側に張り出す姿勢とし、折曲位置において、前記突起部を、前記箱本体の壁部の内面に開口された前記挿入穴に突出される姿勢とすることができる。上記構成により、折曲片を開放位置とした姿勢においては、折曲片が自然に折曲しようとすると突起部が壁部の上面に当接することで折曲片の折曲を阻害し、もって載置面を開放状態に維持して、被収納物を載置面に載置し易くして収納作業の効率を高める。その一方で、被収納物の収納が終わった時点では折曲片を折曲位置まで強制的に押し込むことで、突起部が一旦、壁部の内面と擦れて弾性変形しつつも、挿入穴に至った時点で復元力が働き、挿入穴内で突起部が拡開され、逆に折曲片が折曲位置から開放位置に戻ろうとする作用を突起部を挿入穴に係止したことで阻止することが可能となる。このように、極めて簡単な構成としつつ、被収納物の収納作業と、収納後のロックとを折曲片の押し込み動作のみで完結でき、極めて作業効率の良い箱詰め作業が実現できる。
【００１０】
さらにまた、第４の側面に係る収納容器によれば、上記何れかの構成に加えて、前記折曲片は、その端縁を幅広に形成することができる。上記構成により、端部においては突起部を折曲位置からより離間した位置に形成して、強度を向上できる一方、中間部分においては必要最小限の幅として部材コストを削減しつつ、載置部に載置された被収納物の視認性を最大限に確保できる。
【００１１】
さらにまた、第５の側面に係る収納容器によれば、上記何れかの構成に加えて、前記区画部はさらに、前記載置面において、前記折曲片の延長方向と交差する方向に折曲自在に形成された仕切り片を一以上備えることができる。上記構成により、仕切り片でもって載置面を折曲片の延長方向と交差する方向に区画することができ、載置面に載置される被収納物を区分けすることが可能となる。
【００１２】
さらにまた、第６の側面に係る収納容器によれば、上記何れかの構成に加えて、前記仕切り片は、折曲位置にある前記折曲片と係合する係合機構を備えることができる。上記構成により、折曲片を折曲位置とした状態を、仕切り片でも保持することが可能となり、折曲片の折曲姿勢をより強固に保持できる利点が得られる。
【００１３】
さらにまた、第７の側面に係る収納容器によれば、上記何れかの構成に加えて、前記仕切り片は、中央部分に凹部を形成することができる。上記構成により、仕切り片で被収納物を区分けしつつ、仕切り片が被収納物を覆う面積を少なくして、被収納物の表面を視認し易くして、例えば被収納物の表面に印字された内容物等の情報を利用者が読み取る際に仕切り片が妨げとなる事態を抑制できる。
【００１４】
さらにまた、第８の側面に係る収納容器によれば、上記何れかの構成に加えて、前記仕切り片は、折曲した姿勢でその両端が、折曲位置にある折曲片と当接する形状に形成することができる。上記構成により、仕切り片を幅広として被収納物の保持効果を高め、搬送時等に被収納物が押されても仕切り片を乗り越えにくくでき、位置ずれや型崩れを阻止できる。
【００１５】
さらにまた、第９の側面に係る収納容器によれば、上記何れかの構成に加えて、前記区画部を両面印刷の紙で構成することができる。上記構成により、折曲片の折曲位置において視認される面と、載置面とを共に印刷面として見栄えを向上でき、贈答用の箱等に好適に利用できる。
【００１６】
さらにまた、第１０の側面に係る収納容器の組み立て方法によれば、被収納物を収納した紙製の収納箱の組み立て方法であって、壁部で四方を囲むと共に上方を開口した箱本体の開口部に、一以上の区画部を並べて配置する工程と、前記区画部の被収納物を載置する載置面の両側側面にそれぞれ設けられた折曲片を、前記載置面を開放する開放位置に開いた状態で、前記載置面に被収納物を載置する工程と、前記載置面に被収納物を載置した状態で、前記折曲片を、開放位置から、前記載置面の開口面積を狭くする折曲位置に折曲し、前記折曲片の端部に形成した突起部を、前記箱本体の壁部の内面に開口された挿入穴に挿入する工程とを含むことができる。これにより、箱本体に区画部をセットした状態で、各区画部の折曲片を開放位置として、載置面に被収納物を載置し易くする一方、被収納物を収納した状態で、折曲片を折曲位置に保持することにより、被収納物が載置面から抜け落ちないように保持することが可能となる。
【図面の簡単な説明】
【００１７】
【図１】本発明の実施形態１に係る紙製の収納箱を示す斜視図である。
【図２】図１の収納箱の分解斜視図である。
【図３】図２の箱本体の展開図である。
【図４】図２の区画部の拡大斜視図である。
【図５】図２の区画部の展開図である。
【図６】箱本体に区画部をセットした状態を示す斜視図である。
【図７】図６の状態で被収納物を収納した状態を示す斜視図である。
【図８】図７の状態で、折曲片を折り曲げた状態を示す斜視図及び要部拡大図である。
【図９】変形例に係る紙製の収納箱を示す要部拡大斜視図である。
【図１０】従来の紙製の収納箱を示す斜視図である。
【図１１】図１０の収納箱の分解斜視図である。
【図１２】図１０の収納箱にスティックコーヒーの一端を挿入する作業を示す斜視図である。
【図１３】スティックコーヒーの他端を挿入する作業を示す斜視図である。
【発明を実施するための形態】
【００１８】
以下、本発明の実施の形態を図面に基づいて説明する。ただし、以下に示す実施の形態は、本発明の技術思想を具体化するための例示であって、本発明は以下のものに特定しない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
（実施形態１）
【００１９】
本発明の実施形態１に係る収納箱を図１〜図８に示す。これらの図において、図１は本発明の実施形態に係る紙製の収納箱１００を示す斜視図、図２は図１の収納箱１００の分解斜視図、図３は図２の箱本体の展開図、図４は図２の区画部２０の拡大斜視図、図５は図２の区画部２０の展開図、図６は箱本体に区画部２０をセットした状態を示す斜視図、図７は図６の状態で被収納物ＯＢＪを収納した状態を示す斜視図、図８は図７の状態で、折曲片２３を折り曲げた状態を示す斜視図及び要部拡大図を、それぞれ示している。
【００２０】
収納箱１００は、図１に示すように、被収納物ＯＢＪを収納するよう箱形に形成されている。この収納箱１００は、図２の分解斜視図に示すように、箱本体１０と、複数の区画部２０を備える。被収納物ＯＢＪは特に限定せず、食品や薬品、小物などが挙げられる。好ましくは、一方向に延長された形状を有する被収納物とする。後述するように、被収納物ＯＢＪの長手方向の両端を折曲片２３で押圧して、収納箱１００に保持することができる。このような被収納物ＯＢＪとしては、例えば棒状の袋に粉末を充填したスティック状のものが挙げられる（例えばスティックコーヒー、スープ、薬剤等）。また収納箱１００に収納された被収納物ＯＢＪは、両端を保持されて、見栄え良く並べて表示できる。よって、見栄えを重視する贈答用の収納箱として好適に利用できる。
（箱本体１０）
【００２１】
箱本体１０は、有底箱状に形成され、四方を壁部１２で囲み、上方を開口している。この例では、図３の展開図に示すように、箱本体１０の外形を、横方向に長い長方形状としている。また幅（図１等において奥行き）よりも厚さを薄くした板状に形成される。また収納箱１００は、箱本体１０の開口面を閉塞する蓋部３０を有してもよい。蓋部３０も有底箱状とし、箱本体１０の壁部１２の外周を囲む大きさ及び形状に形成される。
（区画部２０）
【００２２】
区画部２０は、箱本体１０の開口部に並べて配置されている。この例では、箱本体１０の長手方向に沿って隣り合うように、区画部２０を配置している。なお、これらの箱本体１０や区画部２０、蓋部３０は、軽量で安価な紙製とすることが好ましい。紙製の収納箱は加工や組み立てが容易で、折れ目で折曲させる等の変形も自在である。また必要に応じて表面を印刷して見栄えを良くする。
【００２３】
加えて区画部２０は、両面印刷の紙で構成することが好ましい。後述する通り、区画部２０は折曲部を折曲した状態で、載置面２１と、折曲部の上面とが表面と裏面の関係となるため、両面印刷とすることで、折曲片２３の折曲位置において視認される面と載置面２１とを共に印刷面として見栄えを向上でき、贈答用の箱等に好適に利用できる。
【００２４】
各区画部２０は、被収納物ＯＢＪを載置する載置面２１と、この載置面２１の両側側面にそれぞれ設けられた折曲片２３とを備える。図４の斜視図や図５の展開図に示す例では、載置面２１を長方形状として、長辺側の両側に、それぞれ中間片２２と、折曲片２３を設けている。載置面２１と中間片２２との第一境界線、及び中間片２２と折曲片２３の第二境界線を折り目として、これらの折り目を折曲させて、図４に示すように区画部２０を断面視でＣ字状に折曲させる。すなわち、中間片２２を載置面２１に対してほぼ垂直に起立させ、さらに折曲片２３を載置面２１からほぼ直角に折曲させて、載置面２１とほぼ平行な姿勢とする。このように折曲された区画部２０を、図１や図２に示すように、箱本体１０の開口部に並べて配置する。この例では、区画部２０の長手方向が、箱本体１０の長手部と直交する姿勢で、箱本体１０の長手方向に沿って隣り合うように、区画部２０を配置している。そして３つの区画部２０が箱本体１０の開口部に隙間なく配置される大きさに、箱本体１０と区画部２０の大きさ及び形状を設計している。
【００２５】
なお図２等の例では、区画部２０を３つ使用しているが、この構成に限らず、収納箱の大きさや被収納物の数、大きさ（長さや太さ）などに応じて、区画部を１つにしてもよいし、あるいは２つや４つ以上とすることもできる。
【００２６】
中間片２２の幅、すなわち直立させた姿勢での高さは、被収納物ＯＢＪを載置面２１に載置した状態で、折曲位置にある折曲片２３で被収納物ＯＢＪの表面を押圧できるよう、被収納物ＯＢＪの厚さに応じて設計される。図１等の例では、中間片２２の高さを、箱本体１０の高さよりも若干低くしている。これにより、後述する折曲片２３の突起部２４を保持する保持機構を、箱本体１０の壁部１２の高さ方向の中間に設けることができ、十分な強度を発揮できる。なお、被収納物の厚さが薄い場合は、中間片を薄くしたり、あるいは中間片を省略してもよい。
（折曲片２３）
【００２７】
折曲片２３は、中間片２２との第二境界線で折曲自在としている。折曲片２３を折曲する様子を、図６、図７、図８に示す。これらの図に示すように、折曲片２３は、載置面２１を開放する姿勢の開放位置（図６、図７）と、載置面２１の開口面積を狭くする姿勢の折曲位置（図８）とに変形させることができる。これにより、図６に示すように折曲片２３を開放位置として、載置面２１を広く開放することで、被収納物ＯＢＪを載置面２１に容易に載置できるようになる。言い換えると図１２や図１３に示す従来の収納箱９００のように、意図的に狭くした載置面９２１に被収納物ＯＢＪを押し曲げて無理矢理押し込む作業に比べ、負担なくスムーズに被収納物を所定の位置に載置できるようになり、短時間で載置でき、作業効率が大幅に向上される。また無理矢理被収納物を曲げる必要もないので、被収納物が折り曲げられて皺になる等、見栄えが悪くなる事態も解消される。
【００２８】
このようにして被収納物ＯＢＪを載置面２１に載置した状態で、図７に示すように折曲片２３を開放位置から折曲位置に折曲させる。折曲位置に折曲された折曲片２３でもって、被収納物ＯＢＪの両端の上面を覆う乃至押圧することで、被収納物ＯＢＪが抜け落ちる事態を阻止できる。
（保持機構）
【００２９】
このように折曲位置に折曲された折曲片２３が、折曲位置で保持されるよう、箱本体１０と折曲片２３は折曲状態を保持するための保持機構を備えている。保持機構は、例えば折曲片２３に形成した突起部２４と、箱本体１０に開口された挿入穴１４で構成される。突起部２４は、図４や図５、図８等に示すように、折曲片２３の端縁の隅部において、折曲片２３の延長方向に突出されている。この突起部２４は、折曲片２３の一部に一体的に形成されることが好ましい。また箱本体１０の挿入穴１４は、区画部２０を箱本体１０に配置した状態で、箱本体１０の壁部１２の内面の内、折曲片２３の端縁と面する部位に、突起部２４を挿入できる大きさに開口されている。
【００３０】
この突起部２４は、折曲片２３の開放位置においては、図７等に示すように箱本体１０の壁面の内面よりも外側に張り出す姿勢となる。いいかえると、そのままでは開放位置から折曲位置に折曲させようとしても、折曲片２３の延長方向に突出された突起部２４が壁部１２の上面と干渉する。このため、折曲片２３が自重等で自然に折曲位置に近付いても、突起部２４が壁面の上面に当接することでそれ以上の折曲片２３の折曲が阻害される。この結果、載置面２１の開放状態が維持され、被収納物ＯＢＪを載置面２１に載置し易くなる。
【００３１】
一方、突起部２４に外力を与えると変形させることができる。すなわち、折曲片２３を強制的に折曲位置とするように作業者が押し込むと、突起部２４が変形されて、箱本体１０の壁面に開口された挿入穴１４に突出される姿勢となる。この状態では、突起部２４が挿入穴１４に突出されて、折曲片２３がロックされる。よって、被収納物の載置作業が終わった時点で、作業者が折曲片２３を折曲位置まで強制的に押し込むことで、突起部２４が一旦、壁面の内面と擦れて弾性変形しつつも、挿入穴１４に至った時点で復元力が働き、挿入穴１４内で突起部２４が拡開されて、突起部２４が挿入穴１４に係止された状態となる。このため、折曲片２３が折曲位置から開放位置に戻ろうとする事態が阻止される。このように、極めて簡単な構成としつつ、被収納物の収納作業と、収納後のロックとを折曲片の押し込み動作のみで完結でき、極めて作業効率の良い被収納物の収納作業が実現される。
【００３２】
また折曲片２３は、図５等に示すように、その端縁側を、中間部分よりも幅広に形成することができる。これにより、端部においては突起部２４を折曲位置からより離間した位置に形成して、強度を向上できる一方、中間部分においては必要最小限の幅として部材コストを削減しつつ、載置部に載置された被収納物の視認性を最大限に確保できる。
（仕切り片２５）
【００３３】
区画部２０は、載置面２１に仕切り片２５を一以上設けることができる。仕切り片２５は、折曲片２３の延長方向と交差する方向に折曲自在に形成されている。これにより、仕切り片２５でもって載置面２１を折曲片２３の延長方向と交差する方向に区画することができ、載置面２１に載置される被収納物ＯＢＪを区分けすることが可能となる。例えば、被収納物がコーヒースティックの場合は、珈琲の味に応じて仕切り片２５で仕切られた領域に区分けすることができる。
【００３４】
仕切り片２５は、中央部分に凹部２６を形成している。これ成により、仕切り片２５で被収納物ＯＢＪを区分けしつつ、仕切り片２５が被収納物ＯＢＪを覆う面積を少なくして、被収納物ＯＢＪの表面を視認し易くして、例えば被収納物ＯＢＪの表面に印字された内容物等の情報を利用者が読み取る際に仕切り片２５が妨げとなる事態を抑制できる。
【００３５】
また仕切り片２５は、折曲した姿勢でその両端が、折曲位置にある折曲片２３と当接する形状に形成されている。具体的には、仕切り片２５の中間は薄くして凹状に窪ませつつ、両側は高くして、引き起こされた仕切り片２５と折曲片２３の裏面側との隙間を狭くし、被収納物ＯＢＪが搬送時の衝撃等で仕切り片２５を乗り越えて移動する事態が阻止される。図４等の例では、仕切り片２５の中間を逆等脚台形状に切り欠くことで、中央の凹部２６と、両側の幅広部を形成している。
【００３６】
また収納箱１００の組み立て時において、仕切り片２５の引き起こし作業を容易にできるよう、区画部２０は図５の展開図に示すように、折曲前の状態で引き起こし片の凹部２６の上部を切り欠いて指掛け部２６を形成している。これにより作業者は、指掛け部２６に指を掛けて仕切り片２５の引き起こし作業を容易に行える。指掛け部２６は、仕切り片２５の長手方向に沿って、すなわち区画部２０の長手方向と交差する方向に、延長して形成されている。
【００３７】
さらに仕切り片２５を引き起こした状態で保持されるよう、仕切り片２５を引き起こすための引き起こし側折り目は、罫線で処理している。いいかえると、ミシン目などのように、折曲後に弱くなる処理を行わないことで、引き起こし後の状態でも維持される十分な強度を備えさせている。
（変形例）
【００３８】
さらに、仕切り片に、折曲位置にある折曲片と係合する係合機構を設けることもできる。これにより、折曲片を折曲位置とした状態を、仕切り片でも保持することが可能となり、折曲片の折曲姿勢をより強固に保持できる利点が得られる。このような例を変形例として図９に示す。この図に示す区画部２０Ｂの仕切り片２５Ｂは、引き起こした状態で両側の先端が折曲片２３Ｂから若干突出する長さとし、かつ突出した端縁に仕切り側切り込み２５ｂを形成している。一方折曲片２３Ｂは、引き起こされた仕切り片２５Ｂの仕切り側切り込み２５ｂと係合する位置に、折曲片側切り込み２３ｂを形成している。このように、仕切り側切り込み２５ｂと折曲片側切り込み２３ｂを係合させることで、折曲片２３Ｂの折曲位置における保持力がさらに向上され、被収納物ＯＢＪを保持する安定性が増す。
（収納箱の組み立て方法）
【００３９】
ここで、収納箱に被収納物を収納して組み立てる手順の一例について説明する。まず、図２に示すように箱本体１０の開口部に、区画部２０を並べて配置する。このとき区画部２０は、図４に示すように仕切り片２５を引き起こした状態とする。また図６に示すように中間片２２が直立姿勢となるように折曲される。この状態で、折曲片２３は開放位置とされて、載置面２１が広く開放された姿勢となる。作業者はこの状態で被収納物ＯＢＪを載置面２１に載置する。
【００４０】
被収納物ＯＢＪが載置面２１に載置されると、図７に示すように折曲片２３を、開放位置から折曲位置とするように、作業者が作業片を押し込む。折曲片２３が強制的に押し込まれて折曲されると、図８に示すように、折曲片２３の端部に形成された突起部２４が、箱本体１０の壁部１２の内面に開口された挿入穴１４に挿入される。これにより、保持機構によって折曲片２３が折曲位置で保持され、被収納物ＯＢＪの両端が折曲片２３で覆われて保持された状態に維持される。
【００４１】
なお、使用者が被収納物ＯＢＪを取り出す際には、一旦、指で折曲片２３を引き起こして開放位置にした状態で取り出しても良い。あるいは折曲片２３を折曲位置としたまま、所望の被収納物ＯＢＪを摘まんで強制的に引き抜いても良い。
【００４２】
以上の収納箱によれば、箱本体に区画部２０をセットした状態で、各区画部２０の折曲片２３を開放位置として、載置面２１に被収納物ＯＢＪを載置し易くする一方、被収納物ＯＢＪを収納した状態で、折曲片２３を折曲位置に保持することにより、被収納物ＯＢＪが載置面２１から抜け落ちないように保持することができる。
【産業上の利用可能性】
【００４３】
本発明に係る収納箱及びその組み立て方法によれば、中元や歳暮等の歳時の贈答品の収納箱として好適に利用できる。また、スティックコーヒーやスティックタイプの砂糖などの食品や薬剤、その他の袋入りの収納物を収納する収納箱として好適に利用できる。
【符号の説明】
【００４４】
１００、９００…収納箱
１０、９１０…箱本体
１２…壁部
１４…挿入穴
２０、２０Ｂ、９２０…区画部
２１、９２１…載置面
２２…中間片
２３、２３Ｂ…折曲片
２３ｂ…折曲片側切り込み
２４…突起部
２５、２５Ｂ…仕切り片
２５ｂ…仕切り側切り込み
２６…凹部
２７…指掛け部
３０…蓋部
９２７…壁部
９２８…開口穴
ＯＢＪ…被収納物
【図１】
2018193098.tif 000003
【図２】
2018193098.tif 000004
【図３】
2018193098.tif 000005
【図４】
2018193098.tif 000006
【図５】
2018193098.tif 000007
【図６】
2018193098.tif 000008
【図７】
2018193098.tif 000009
【図８】
2018193098.tif 000010
【図９】
2018193098.tif 000011
【図１０】
2018193098.tif 000012
【図１１】
2018193098.tif 000013
【図１２】
2018193098.tif 000014
【図１３】
2018193098.tif 000015